(57)【要約】【課題】  接続された機器の音声再生能力に合わせて、出力すべき映像仕様とは独立に、音声仕様（音声フォーマット）を設定可能な映像音声再生装置及びその信号出力方法を提供する。【解決手段】この発明の１つの実施の形態によれば、再生装置が再生可能な音声データおよび映像データのフォーマットを取得する検出／判定部２０１と、検出／判定部により取得された再生装置が再生可能な音声データおよび映像データのフォーマットのうち、再生装置の内で、ビットストリームデータを受信し、再生可能な再生装置が接続されていることを検出する設定処理部２１３と、設定処理部２１３により、ビットストリームデータを受信し、再生可能な再生装置が接続されていることが検出された場合に、ビットストリームデータを、直接受信し、再生可能な再生装置に出力する出力信号処理部と、を有する映像音声再生装置が提供される。【選択図】  図１
2008287792.tif 000002
【特許請求の範囲】
【請求項１】
任意のフォーマットで音声データおよび映像データを再生可能な第１の音声および映像再生装置ならびに任意のフォーマットで音声データおよび映像データを再生可能な第２の音声および映像再生装置から、それぞれの再生装置が再生可能な前記音声データおよび前記映像データのフォーマットを取得する手段と、
前記取得する手段により取得された前記それぞれの再生装置が再生可能な前記音声データおよび前記映像データのフォーマットのうち、前記それぞれの再生装置の内で、ビットストリームデータを受信し、再生可能な再生装置が接続されていることを検出する手段と、
前記検出する手段により、前記ビットストリームデータを受信し、再生可能な再生装置が接続されていることが検出された場合に、直接前記ビットストリームデータを受信し、再生可能な再生装置に出力する手段と、
を有する映像音声再生装置。
【請求項２】
前記ビットストリームデータは、ハイビットレートオーディオ信号を含むことを特徴とする請求項１記載の映像音声再生装置。
【請求項３】
前記出力する手段は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に代表される双方向通信インタフェースを含むことを特徴とする請求項１記載の映像音声再生装置。
【請求項４】
再生対象である記録媒体にＨＤ  ＤＶＤ規格のアドバンストコンテンツが含まれていることを検出するコンテンツ検出手段と、
任意のフォーマットで音声データおよび映像データを再生可能な第１の音声および映像再生装置ならびに任意のフォーマットで音声データおよび映像データを再生可能な第２の音声および映像再生装置から、それぞれの再生装置が再生可能な前記音声データおよび前記映像データのフォーマットを取得する手段と、
前記取得する手段により取得された前記それぞれの再生装置が再生可能な前記音声データおよび前記映像データのフォーマットのうち、前記それぞれの再生装置の内で、ビットストリームデータを再生可能な再生装置が接続されていることを検出する手段と、
前記検出する手段により前記ビットストリームデータを再生可能な再生装置が接続されていることが検出された場合であって、前記コンテンツ検出手段により前記ビットストリームデータが含まれていることが検出された場合に、前記ビットストリームデータを再生可能な再生装置に、前記ビットストリームデータを、直接、出力する手段と、
を有する映像音声再生装置。
【請求項５】
前記出力する手段は、前記ビットストリームデータとは異なるフォーマットの音声データ及び映像データを、選択的に出力可能であることを特徴とする請求項４記載の映像音声再生装置。
【請求項６】
前記出力する手段は、前記検出する手段により前記ビットストリームデータを再生可能な再生装置が接続されていないことが検出された場合に、前記ビットストリームデータの出力及び対応する映像データの出力を抑止することを特徴とする請求項４記載の映像音声再生装置。
【請求項７】
前記出力する手段により、前記ビットストリームデータを再生可能な再生装置に、前記ビットストリームデータが出力されていることを報知可能な表示手段をさらに有することを特徴とする映像音声再生装置。
【請求項８】
再生対象である記録媒体にＨＤ  ＤＶＤ規格のアドバンストコンテンツが含まれていることを検出し、
任意のフォーマットで音声データおよび映像データを再生可能な第１の音声および映像再生装置が再生可能な音声フォーマット（仕様）および映像フォーマット（仕様）を取得し、
任意のフォーマットで音声データおよび映像データを再生可能な第２の音声および映像再生装置が再生可能な音声フォーマット（仕様）および映像フォーマット（仕様）を取得し、
それぞれの再生装置の内、ビットストリームデータを再生可能な再生装置が接続されていることを検出し、
検出されたビットストリームデータを再生可能な再生装置に、ビットストリームデータを、直接、出力する
ことを特徴とする映像音声再生装置の信号出力方法。
【発明の詳細な説明】
【技術分野】
【０００１】
この発明は、接続された機器の音声再生能力に合わせて、出力すべき映像仕様とは独立に、音声仕様（音声フォーマット）を設定可能な映像音声再生装置及びその信号出力方法に関する。
【背景技術】
【０００２】
光ディスクを記録媒体として提供される映像及びオーディオ情報を再生可能な装置として、ＤＶＤ規格の光ディスクから映像を再生するプレーヤ装置や、同規格の光ディスクに映像情報を記録可能なレコーダ装置が実用化されて久しい。
【０００３】
今日、ＤＶＤ規格を発展させたＨＤ（Ｈｉｇｈ−Ｄｅｆｉｎｉｔｉｏｎ）  ＤＶＤ規格の光ディスクや、ＨＤ  ＤＶＤ規格と同様に１枚のディスクに多くの映像を高密度に記録可能なＢｌｕ−Ｒａｙ（ブルーレイ）規格の光ディスクも既に実用化され、それぞれ、プレーヤ装置やレコーダ装置が入手可能である。
【０００４】
なお、ＨＤ  ＤＶＤ規格の光ディスクに収容されているコンテンツから映像及び音声を再生可能なプレーヤ装置の多くには、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に代表される双方向通信インタフェースが搭載されている。
【０００５】
このため、ＨＤＭＩを介して、プレーヤ装置と接続される音響機器や映像音声再生装置すなわちＡＶコントローラ（及びスピーカ）やテレビ受像機が再生可能な音声仕様（音声フォーマット）が、プレーヤ装置側で検出可能である。
【０００６】
反面、ＨＤ  ＤＶＤ規格の光ディスクにおいては、Ｓｔａｎｄａｒｄ  ｃｏｎｔｅｎｔ（スタンダードコンテンツ）規格に加え、スタンダードコンテンツと独立して用意されたＡｄｖａｃｅｄ  ｃｏｎｔｅｎｔ（アドバンスドコンテンツ）規格が規定されており、アドバンスドコンテンツ規格に準拠したアドバンスドコンテンツが収容されている映像ソフトも既に入手可能であるが、一部ソフト（コンテンツ）には、音声（オーディオ）の一部に、メインオーディオ／サブオーディオ／エフェクトオーディオの仕様の異なるコンテンツも存在する。
【０００７】
特許文献１には、再生機が、複数の符号化された音声データを有するコンテンツを再生する場合、利用者がどの符号化方式を再生するかを意識せずとも、再生機がデジタルインタフェースを介して出力機側の機器固有情報部から音声再生条件を示す情報を獲得することによって、再生機の再生音声の符号化方式を選択するとともに、出力機側で受信再生できる出力データフォーマット形式に変換して出力するものが示されている。
【特許文献１】特開２００６−２９４１２０
【発明の開示】
【発明が解決しようとする課題】
【０００８】
しかしながら、特許文献１では、受信側から音声再生条件（ＥＤＩＤ（Ｅｘｔｅｎｄｅｄ  Ｄｉｓｐｌａｙ  Ｉｄｅｎｔｉｆｉｃａｔｉｏｎ  Ｄａｔａ）より）を取得するが、ユーザ設定や音声ストリームの種類により、メイン／サブ／エフェクトオーディオ、メイン／サブビデオの出力方法を変更する方法については、開示されていない。
【０００９】
このため、例えばサブオーディオに加え、エフェクトオーディオも用意されているコンテンツを再生する場合、ユーザに、再生機（受信側）の再生能力を把握し、特定の音声（オーディオ）を出力させない、等の特別な操作が求められる。
【００１０】
この発明の目的は、出力すべき映像仕様とは独立に、再生機が再生可能な出力音声仕様を設定可能で、ユーザの特別な操作が不要な映像音声再生装置及びその信号出力方法を提供することである。
【課題を解決するための手段】
【００１１】
この発明は、上記問題点に基づきなされたもので、任意のフォーマットで音声データおよび映像データを再生可能な第１の音声および映像再生装置ならびに任意のフォーマットで音声データおよび映像データを再生可能な第２の音声および映像再生装置から、それぞれの再生装置が再生可能な前記音声データおよび前記映像データのフォーマットを取得する手段と、前記取得する手段により取得された前記それぞれの再生装置が再生可能な前記音声データおよび前記映像データのフォーマットのうち、前記それぞれの再生装置の内で、ビットストリームデータを受信し、再生可能な再生装置が接続されていることを検出する手段と、前記検出する手段により、前記ビットストリームデータを受信し、再生可能な再生装置が接続されていることが検出された場合に、前記ビットストリームデータを、直接、前記ビットストリームデータを受信し、再生可能な再生装置に出力する手段と、
を有する映像音声再生装置である。
【発明の効果】
【００１２】
本発明の実施の形態の１つによれば、ＨＢＲオーディオを再生する際、メインオーディオとサブオーディオ及びエフェクトオーディオを同時に出力できない再生モードにおいては、ユーザに分かりやすいユーザインタフェースを提供できる。
【００１３】
また、ＨＤ  ＤＶＤのアドバンストコンテンツを再生する場合において、メインビデオとメインオーディオに加え、サブビデオとサブオーディオ及びエフェクトオーディオを同時に出力（再生）可能な装置が接続されている場合には、ユーザによりＨＢＲオーディオを再生しないことが指定されない場合に、ＨＢＲオーディオを、ビットストリームとして再生可能な装置に出力可能である。
【００１４】
従って、接続された機器の音声再生能力に合わせて、出力すべき映像仕様とは独立に、ユーザが、音声仕様（音声フォーマット）を設定する必要がなくなり、操作性が向上し、さらにコンテンツに含まれる最良のオーディオ出力が再生される。
【００１５】
さらに、現在再生されている音声モードがＨＢＲオーディオであるか否かを、ユーザに明確に意識づけすることができる。
【発明を実施するための最良の形態】
【００１６】
以下、図面を参照して、本発明の実施の形態の一例について説明する。
【００１７】
図１は、この発明の実施の形態の一例が適用可能な映像音声再生装置（プレーヤ装置）の概略ブロック図を示す。なお、本発明による映像音声再生装置は、プレーヤ装置に限定されるものではなく、映像及び音声が記録可能なレコーダ装置やビデオカメラ等も含まれる。もちろん、パーソナルコンピュータ（ＰＣ）もしくはＰＣに接続可能なディスクドライブ装置、あるいは自動車等に搭載されるナビゲーション装置であってもよいことはいうまでもない。また、映像音声再生装置は、接続されるＴＶ（テレビジョン）受信機やＴＶ放送等を表示可能なモニタ装置、もしくはＡＶ（Ａｕｄｉｏ−Ｖｉｄｅｏ）アンプ（コントローラ）に対しては、信号伝送装置（送信装置）としての機能を提供することから、単に送信装置（または送受信装置）と呼ばれることもある。
【００１８】
図１に示す映像音声再生装置１は、記録媒体、例えばＨＤ規格のＤＶＤディスク（Ｈｉｇｈ  Ｄｅｆｉｎｉｔｉｏｎ  Ｄｉｇｉｔａｌ  Ｖｅｒｓａｔｉｌｅ  Ｄｉｓｃ，以下、ＨＤ  ＤＶＤと略称する）Ｍがセットされることで、光ディスクＭに収容されている情報を再生することのできるディスクドライブユニット３、パーシステントストレージ（Ｐｅｒｓｉｓｔｅｎｔ  Ｓｔｏｒａｇｅ，以下Ｐ−ストレージと呼称する）として用いられるハードディスクＨＤを含むハードディスクドライブ（ＨＤＤ）ユニット５および、不揮発性メモリである半導体メモリ、例えばフラッシュメモリ７等を有する。
【００１９】
ディスクドライブユニット３、ハードディスクドライブユニット５、フラッシュメモリ７は、ＣＰＵを含む主制御ブロック（Ｍａｉｎ  Ｃｏｎｔｒｏｌ  Ｂｌｏｃｋ）１１に、データバス１３、Ｉ／Ｏコントローラ２１を介して接続されている。また、データバス１３には、メインメモリ（ＳＤＲＡＭ）１５、ネットワークコントローラ１７およびＯＳＤ１９等が接続されている。
【００２０】
ＨＤ  ＤＶＤディスクＭ、ＨＤＤ５、およびフラッシュメモリ７等に保持されるデータは、周知のパケタイズド゛ストリーム（Ｐａｃｋｅｔｉｚｅｄ  ｓｔｒｅａｍ，以降“ＰＳ”と称する）と呼ばれるデータ形式である。また、詳述しないが、ＨＤＤ５の容量を増大させたレコーダ装置である場合には、図示しないテレビチューナ部により受信された（もしくは外部入力を経由して入力される）地上および衛星からのデジタル放送波等の録画（記録）も可能である。なお、デジタル放送は、ＴＳ（Ｔｒａｎｓｐｏｒｔ  ｓｔｒｅａｍ，以降“ＴＳ”と称する）形式である。
【００２１】
ＰＳには、映像（ビデオ）と音声（オーディオ）およびその他の制御データが、時分割多重されている。さらに、映像（ビデオ）と音声（オーディオ）は、それぞれ送信すべきデータ量を低減する目的で圧縮された形態で送られてきている。また、データの多くは、ビデオデータであり、例えばＨ．２６４、ＶＣ１、ＭＰＥＧ２、ＭＰＥＧ４  ＡＶＣ（単に、ＡＶＣと称されることも多い）と呼ばれる規格により圧縮されている。
【００２２】
Ｉ／Ｏコントローラ２１を介して取り込まれたデータ、例えばＨＤ  ＤＶＤディスクのコンテンツは、データバス１３を経由してＳＤＲＡＭ（メインメモリ）１５に格納され、再生時には、ストリームパーサ２３に入力される。
【００２３】
ストリームパーサ２３に入力されたデータは、出力信号処理部１０１において、映像すなわちビデオ信号と音声（音楽を含む）すなわちオーディオ信号、並びにそのまま（デコードなしに）受信器（テレビ受信装置やＡＶアンプ）に供給されるＨｉｇｈ−Ｂｉｔｓ  Ｒａｔｅ  Ａｕｄｉｏ（ハイビットレートオーディオ，以下ＨＢＲオーディオと略す）とに分離され、ＨＢＲオーディオ以外のデータは、それぞれに対応するビデオ系デコーダ２５およびオーディオ系デコータ２７により復号され、後段のビデオミキサ１１１及びオーディオミキサ１２１に供給される。一方、ＨＢＲオーディオ信号は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）１．３ユニット２９を経由して、そのままＨＤＭＩ入出力部３０１に出力される。
【００２４】
復号されたビデオ信号すなわち映像は、ＨＤＭＩ入出力部３０１を通じ、例えば一般的なＴＶ（テレビ）装置Ａ、例えば液晶ディスプレイやＣＲＴに代表されるモニタＢあるいはモニタＣにおいて表示可能に、出力される。
【００２５】
一方、ＨＢＲオーディオ信号（復号なし）またはオーディオ系デコータ２７により復号されたオーディオ信号すなわち音楽あるいは音声は、ＨＤＭＩ入出力部３０１から、スピーカ内蔵のＴＶ装置Ａ、あるいは図示しないスピーカ等と接続されるＡＶアンプＮもしくはモニタ装置ＢまたはＣと接続された（あるいは一体的に内蔵されている場合もある）図示しないスピーカに出力される。なお、図１では、モニタ装置Ｂは、外部スピーカが一体的に用意されているものとし、モニタ装置Ｃは、外部スピーカが無く、ＨＤＭＩ入出力部３０１から出力される音声（音楽）が、ＡＶアンプＮに接続される図示しないスピーカにより出力されるものとする。また、光ディスクＭに記録されているコンテンツが、ＨＢＲオーディオ信号（復号なし）を含むか否かは、図２ないし図４を用いて後段に説明する光ディスクＭのデータ構造の内の、Ａｄｖａｎｃｅｄ  ｏｂｊｅｃｔ群記録領域内のＡＶＯＢＵ（Ａｄｖａｎｃｅｄ  ｖｉｄｅｏ  ｏｂｊｅｃｔ  ｕｎｉｔ）内のＡ＿ｐａｃｋ内に規定されている「ｓｕｂ＿ｓｔｒｅａｍ＿ｉｄ」を参照することで、容易に識別できる。
【００２６】
ネットワークコントローラ１７は、公衆通信回線あるいはローカルエリアネットワーク（ＬＡＮ）を経由して、外部サーバ（ｗｅｂサイト）やＬＡＮ上の任意数のディスク再生装置との間で、データの受け渡しおよび転送が可能である。
【００２７】
なお、外部サーバとしては、例えばＨＤ  ＤＶＤディスクＭの供給元が展開するｗｅｂサイトや、ディスク供給元が指定もしくは提携する特定の接続先であって、コンテンツを無償あるいは有償で提供する配信サイト（コンテンツプロバイダ）等が含まれる。また、ネットワーク上には、ディスク再生装置１と実質的に同一の機能を含む携帯可能型のディスク再生装置や、例えば家庭内に別の場所に設けられている同形式あるいはＨＤ  ＤＶＤディスクＭを再生可能な別の形式のディスク再生装置が接続可能である。
【００２８】
図１に示したディスク再生装置１においては、市販されているＨＤ  ＤＶＤディスク、すなわちビデオソフトをディスクドライブユニット３にセットして再生する場合、ネットワークコントローラ１７を経由して、光ディスクに収容されているコンテンツの供給元へのアクセスを推奨するアドレスあるいはリンク先情報、として用意されたディスクの供給元のｗｅｂサイト、ならびにディスク供給元が提携する特定の接続先へのアクセスが可能である。
【００２９】
ＨＤ  ＤＶＤディスクに用意されているディスク供給元のｗｅｂサイトへアクセスすることにより、ビデオソフトが製造された後に追加された映像、例えばビデオソフトの購入者への特典として用意されたオリジナルプログラムやビデオソフトには収容されていない別の言語の音声等の付加的なコンテンツを、任意にダウンロードできる。なお、付加的なコンテンツとしては、例えば同じ供給元が供給する他のビデオソフトの案内等である新着案内と呼ばれるコンテンツも存在する。
【００３０】
ダウンロードにより取得した付加的なコンテンツは、例えばＨＤＤユニット５のハードディスクＨＤまたはフラッシュメモリ７に記憶される。
【００３１】
このため、ディスク再生装置において光ディスクを再生する場合に、コンテンツ供給元が提供する付加的なコンテンツをネットワークからダウンロードすることにより、ＨＤ  ＤＶＤディスクに収容されているコンテンツと同時にまたは、並行して再生可能である。
【００３２】
ところで、ディスク再生装置（プレーヤ）１のディスクドライブユニット３に装填された記録媒体がＨＤ  ＤＶＤディスクである場合、ＨＤ  ＤＶＤディスクに格納されているコンテンツとしては、図２を用いて以下に説明するように、アドバンスドコンテンツ（Ａｄｖａｎｃｅｄ  Ｃｏｎｔｅｎｔ）と呼ばれるコンテンツ及び図３を用いて以下に説明するように、アドバンスドディレクトリ（Ａｄｖａｎｃｅｄ  Ｄｉｒｅｃｔｏｒｙ）と呼ばれるコンテンツが含まれている。
【００３３】
図２に示すように、ＨＤ  ＤＶＤ規格の光ディスクは、アドバンスドコンテンツとスタンダード（標準）コンテンツの両方を保存できる。アドバンスドコンテンツのデータタイプとして考えられるものとしては、アドバンスドナビゲーション、アドバンスドエレメント、プライマリビデオセット、セカンダリビデオセットなどがある。
【００３４】
アドバンスドストリーム（Ａｄｖａｎｃｅｄ  Ｓｔｒｅａｍ）は、プライマリビデオセット（Ｐｒｉｍａｒｙ  Ｖｉｄｅｏ  Ｓｅｔ）を除く何れかのタイプのアドバンスドコンテンツファイルをアーカイブ化するデータフォーマットである。アドバンスドストリームは、プライマリエンハンスドビデオオブジェクトタイプ２（Ｐ−ＥＶＯＢＳ−ＴＹ２）に多重化され、プライマリビデオプレーヤに供給されるＰ−ＥＶＯＢＳ−ＴＹ２データとともに引き出される。
【００３５】
アドバンスドストリームにアーカイブ化され、アドバンスドコンテンツ再生用に必須な同一のファイルは、ファイルとして保存する必要がある。これらの複製されたコピーは、アドバンスドコンテンツの再生を保証するものである。これは、プライマリビデオセットの再生をジャンプしたときに、アドバンスドストリームの供給が完了していないことがあるためである。この場合、指定されたジャンプ位置から再生を再開する前に、必要なファイルが直接ディスクからデータキャッシュ（Ｄａｔａ  Ｃａｃｈｅ）に読み込まれる。
【００３６】
アドバンスドナビゲーション（Ａｄｖａｎｃｅｄ  Ｎａｖｉｇａｔｉｏｎ）：      
アドバンスドナビゲーション（Ａｄｖａｎｃｅｄ  Ｎａｖｉｇａｔｉｏｎ）ファイルは、ファイルとして位置づけられる。アドバンスドナビゲーションファイルは、起動シーケンスの間に読み込まれ、アドバンスドコンテンツの再生用に解釈される。
【００３７】
アドバンスドエレメント（Ａｄｖａｎｃｅｄ  Ｅｌｅｍｅｎｔ）：      
アドバンスドエレメント（Ａｄｖａｎｃｅｄ  Ｅｌｅｍｅｎｔ）は、ファイルとして位置づけることができ、またＰ−ＥＶＯＢ−ＴＹ２データに多重化されるアドバンスドストリームにアーカイブ化することもできる。
【００３８】
プライマリビデオセット（Ｐｒｉｍａｒｙ  Ｖｉｄｅｏ  Ｓｅｔ（ｓ））：    
ディスク上にあるプライマリビデオセットは、ただ一つだけである。
【００３９】
セカンダリビデオセット（Ｓｅｃｏｎｄｌｙ  Ｖｉｄｅｏ  Ｓｅｔ）：    
セカンダリビデオセット（Ｓｅｃｏｎｄｌｙ  Ｖｉｄｅｏ  Ｓｅｔ）は、ファイルとして位置づけることができ、またＰ−ＥＶＯＢ−ＴＹ２データに多重化されるアドバンスドストリームにアーカイブ化することもできる。
【００４０】
その他のファイル（Ｏｔｈｅｒ  Ｆｉｌｅ）：      
アドバンスドコンテンツによっては、その他のファイル（Ｏｔｈｅｒ  Ｆｉｌｅ）が用意されている（存在する）こともある。
【００４１】
図３は、図２に示したＨＤ  ＤＶＤディスクに保存されるファイルシステム、すなわちディレクトリ（ｄｉｒｅｃｔｏｒｙ）とファイルの構成（ｆｉｌｅ）を説明する概略図である。図３に示すように、アドバンスドコンテンツ用のファイルは、ディレクトリ内に位置づけることが好ましい。
【００４２】
ＨＤ  ＤＶＤ＿ＴＳディレクトリ（ＨＤ  ＤＶＤ＿ＴＳ  ｄｉｒｅｃｔｏｒｙ）：      
「ＨＤ  ＤＶＤ＿ＴＳ」ディレクトリ（ＨＤ  ＤＶＤ＿ＴＳ  ｄｉｒｅｃｔｏｒｙ）４１は、ルートディレクトリ（Ｒｏｏｔ  Ｄｅｒｅｃｔｏｒｙ）のすぐ下層に規定されている。プライマリビデオセット用の一つのアドバンスドＶＴＳ４２，４３および一つまたは複数の標準ビデオセットが、このディレクトリ以下に定義されている。
【００４３】
ＡＤＶ＿ＯＢＪディレクトリ（Ａｄｖａｎｃｅｄ  Ｖｉｄｅｏ＿Ｏｂｊｅｃｔ）：      
「ＡＤＶ＿ＯＢＪ」ディレクトリ（Ａｄｖａｎｃｅｄ  Ｖｉｄｅｏ＿Ｏｂｊｅｃｔ）４４は、ルートディレクトリ４１のすぐ下にある。アドバンスドナビゲーション（Ａｄｖａｎｃｅｄ  Ｎａｖｉｇａｔｉｏｎ）４５に属する起動ファイルは、総てこのディレクトリにある。アドバンスドナビゲーション（Ａｄｖａｎｃｅｄ  Ｎａｖｉｇａｔｉｏｎ）４５に加え、アドバンスドエレメント（Ａｄｖａｎｃｅｄ  Ｅｌｅｍｅｎｔ）４６、セカンダリビデオセット（Ｐｒｉｍａｒｙ  Ｖｉｄｅｏ  Ｓｅｔ（ｓ））の全ファイルがこのディレクトリにある。
【００４４】
アドバンスドコンテンツ用のその他のディレクトリ（Ｏｔｈｅｒ  Ｄｉｒｅｃｔｏｒｙ  ｆｏｒ  Ａｄｖａｎｃｅｄ  ｃｏｎｔｅｎｔ）４７：      
「アドバンスドコンテンツ用のその他のディレクトリ」（Ｏｔｈｅｒ  Ｄｉｒｅｃｔｏｒｙ  ｆｏｒ  Ａｄｖａｎｃｅｄ  ｃｏｎｔｅｎｔ）４７は、「ＡＤＶ＿ＯＢＪ」ディレクトリ以下にのみ存在することができる。アドバンスドナビゲーション４８、アドバンスドエレメント４９、セカンダリビデオセットのファイルであればこのディレクトリに置くことができる。このディレクトリ名はｄ文字とｄ１文字で構成される。「ＡＤＶ＿ＯＢＪ」サブディレクトリの総数（「ＡＤＶ＿ＯＢＪ」ディレクトリを除く）は５１２未満とする。ディレクトリ階層の深さは８またはそれ以下とする。
【００４５】
図４は、図２及び図３により上述したＨＤ  ＤＶＤディスクのファイルシステムの例を示す。
【００４６】
図４に示すように、光ディスクドライブユニット３（図１参照）において再生される光ディスクＭが、ＨＤ  ＤＶＤである場合、図４（ａ）に示すディスクＭの半径方向には、図４（ｂ）に概略を示す通り、リードイン領域とリードアウト領域との間に、少なくともボリューム／ファイル構造情報領域１１Ｍとデータ領域１２Ｍが用意されている。
【００４７】
データ領域１２Ｍは、図４（ｃ）に示すように、少なくとも１つのＡＶデータ記録領域２１Ｍを含む。
【００４８】
ＡＶデータ記録領域２１Ｍには、図４（ｄ）に示す通り、ＡＶデータ管理情報記録領域３１Ｍ、ＲＯＭ＿Ｖｉｄｅｏ  ｏｂｊｅｃｔ群記録領域３２Ｍ、ＶＲ  ｏｂｊｅｃｔ群記録領域３３Ｍ、Ｓｔｒｅａｍ  ｏｂｊｅｃｔ群記録領域３４Ｍ、及びＡｄｖａｎｃｅｄ  ｏｂｊｅｃｔ群記録領域３５Ｍが、配列されている。
【００４９】
Ａｄｖａｎｃｅｄ  ｏｂｊｅｃｔ群記録領域３５Ｍには、図４（ｅ）に示すように、任意数のＡＶＯＢ（Ａｄｖａｎｃｅｄ  ｏｂｊｅｃｔ）４１Ｍが配置され、それぞれのＡＶＯＢ４１Ｍには、図４（ｆ）に示す通り、任意数のＡＶＯＢＵ（Ａｄｖａｎｃｅｄ  ｏｂｊｅｃｔ  ｕｎｉｔ）５１Ｍが用意されている。
【００５０】
個々のＡＶＯＢＵ５１Ｍは、図４（ｇ）に示すように、少なくとも、ＲＤＩ＿Ｐａｃｋ（Ｒｅａｌｔｉｍｅ  Ｄａｔａ  Ｉｎｆｏｒｍａｔｉｏｎ  パック）６１Ｍ、Ｖ＿Ｐａｃｋ（Ｖｉｄｅｏ  パック）６２Ｍ、及びＡ＿Ｐａｃｋ（Ａｕｄｉｏ  パック）６３Ｍを含む。
【００５１】
また、Ａ＿Ｐａｃｋ６３Ｍは、図４（ｈ）に示すように、Ｐａｃｋ  ｈｅａｄｅｒ７１Ｍ、Ｐａｃｋｅｔ  ｈｅａｄｅｒ７２Ｍ、ｓｕｂ＿ｓｔｒｅａｍ＿ｉｄ７３Ｍ、Ａｄｖａｎｃｅｄ＿ｄａｔａ＿ｈｅａｄｅｒ７４Ｍ、及びＡｄｖａｎｃｅｄ  Ｄａｔａ７５Ｍ、を含む。
【００５２】
すなわち、ＨＤ  ＤＶＤコンテンツに特有のアドバンストコンテンツとして、製造元であるコンテンツサービス事業者において、サブオーディオ（Ｓｕｂ−ａｕｄｉｏ）、あるいはサブオーディオに加え、エフェクトオーディオ（Ｅｆｆｅｃｔ−ａｕｄｉｏ）であるＨＢＲオーディオが用意されているか否かは、図４（ｈ）に示したＡｄｖａｎｃｅｄ  ｏｂｊｅｃｔ群記録領域内のＡＶＯＢＵ（Ａｄｖａｎｃｅｄ  ｖｉｄｅｏ  ｏｂｊｅｃｔ  ｕｎｉｔ）内のＡ＿ｐａｃｋ内に規定されている「ｓｕｂ＿ｓｔｒｅａｍ＿ｉｄ」を参照することで、容易に識別できる。
【００５３】
次に、図１に示した出力信号処理部について、図５により、より詳細に説明する。
【００５４】
図５に示す通り、図１に示した出力信号処理部１０１は、既に説明したが、ビデオ系デコーダ２５、オーディオ系デコータ２７及びＨＤＭＩ１．３ユニット２９を含む。
【００５５】
ビデオ系デコーダ２５は、メインビデオデコーダ１１３及びサブビデオデコーダ１１５を含み、その出力がビデオミキサ１１１によりミキシングされ、ＨＤＭＩ入出力部３０１に出力される。
【００５６】
オーディオ系デコーダ２７は、メインオーディオデコーダ１２３及びサブオーディオデコーダ１２５を含み、その出力がオーディオミキサ１２１によりミキシングされ、ＨＤＭＩ入出力部３０１に出力される。
【００５７】
これに対し、ストリームパーサ２３において、復号すべきオーディオ信号すなわち音楽あるいは音声と分離されたＨＢＲオーディオ信号は、そのまま、ＨＤＭＩ入出力部３０１から、スピーカ内蔵のＴＶ装置Ａ、あるいは図示しないスピーカ等と接続されるＡＶアンプＮもしくはモニタ装置ＢまたはＣと接続された（あるいは一体的に内蔵されている場合もある）図示しないスピーカに出力される。
【００５８】
しかしながら、ＨＢＲオーディオ信号は、例えばＤｏｌｂｙ  Ｄｉｇｉｔａｌ  ＰｌｕｓやＤｏｌｂｙ  ＴｒｕｅＨＤ，ＤＴＳ−ＨＤという高音質で多チャンネルの音声フォーマットを含むことから、ＨＤＭＩ入出力部３０１を介して接続されるＡＶレシーバ（受信機）の種類によっては、「サブオーディオ」及び「エフェクトオーディオ」を、メインビデオ（サブビデオを含む）と同時に出力できない場合が生じる（ＨＢＲオーディオは、ＨＤＭＩ１．３およびＩＥＣ６１９３７の規定に従い、ビットストリーム（ビットストリームパッキング）として出力可能である）。
【００５９】
すなわち、ＨＢＲオーディオは、ＡＶレシーバ（受信機）側において、音声ストリームをデコードすることでより多彩な音声を提供できるが、ＡＶレシーバ（受信機）がＨＢＲオーディオをサポートしていない場合には、当然、サブビデオは出力されるものの「サブオーディオ」及び「エフェクトオーディオ」が再生されず、結果としてユーザが困惑する場合が考えられる。
【００６０】
従って、図６により以下に説明するフローに従って、ＨＢＲ選択を選択し、図１に示したホットプラグ検出／判定部２０１により判定されたＨＢＲオーディオを再生できるＡＶレシーバが接続されている場合（もしくはユーザによる選択があった場合）にのみ、ＨＤＭＩ入出力部３０１に、ＨＢＲオーディオを出力することが好ましい。
【００６１】
詳細には、ユーザ設定により、「ＨＢＲオーディオ」の再生が選択されているか否かが判断され（Ｓ１）、「ＨＢＲオーディオ」の再生が選択されている場合（Ｓ１−ＹＥＳ）において、ＡＶレシーバ（受信機）において、ＨＢＲオーディオ、すなわちＤｏｌｂｙ  Ｄｉｇｉｔａｌ  Ｐｌｕｓ（以下、ＤＤ＋と略称する）やＤｏｌｂｙ  ＴｒｕｅＨＤ（以下、ＴｒｕｅＨＤと略称する），ＤＴＳ−ＨＤがデコード可能か否かが、ホットプラグ検出／判定部２０１により検出されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて判定される（Ｓ２）。
【００６２】
ステップＳ２において、ＡＶレシーバ（受信機）すなわち、図１において、ＴＶ（テレビ）装置Ａ、モニタＢ、ＡＶアンプＮのいずれかにおいて、「ＨＢＲオーディオ」の再生が可能であることが検出された場合（Ｓ２−ＹＥＳ）、ＨＤ  ＤＶＤディスクＭに収容されているコンテンツの内の、Ａｄｖａｎｃｅｄ  ｏｂｊｅｃｔ群記録領域内のＡＶＯＢＵ（Ａｄｖａｎｃｅｄ  ｖｉｄｅｏ  ｏｂｊｅｃｔ  ｕｎｉｔ）内のＡ＿ｐａｃｋ内に規定されている「ｓｕｂ＿ｓｔｒｅａｍ＿ｉｄ」（図４（ｈ）参照）が参照され、オーディオ信号のフォーマットがＬＰＣＭ（Ｌｉｎｅａｒ  ＰＣＭ）のみであるか、すなわちＤＤ＋またはＴｒｕｅＨＤもしくはＤＴＳ−ＨＤの少なくとも１つのフォーマットでフォーマットされたＨＢＲオーディオが記録されているか（Ｓ３）、ＨＢＲオーディオとしてＤＴＳ−ＨＤフォーマットでフォーマットされたオーディオが記録されているか（Ｓ４）が、順に判断され、ステップＳ３においてＬＰＣＭ以外のオーディオが記録されていることが検出され（Ｓ３−ＮＯ）、さらにＨＢＲオーディオとしてＤＴＳ−ＨＤフォーマットでフォーマットされたオーディオが記録されていることが検出された場合（Ｓ４−ＹＥＳ）には、ステップＳ２におけるＡＶレシーバ（受信機）のの再生能力が参照され（Ｓ５）、ＡＶレシーバ（受信機）がＨＢＲオーディオを再生可能である場合（Ｓ５−ＹＥＳ）には、ビデオとしては、メインビデオとサブビデオが同時に出力され、ＨＢＲオーディオとしては、ＤＴＳ−ＨＤのメインオーディオ及びサブオーディオとＬＰＣＭのエフェクトオーディオが、出力される（Ｓ６）。
【００６３】
一方、ステップＳ４においてＨＢＲオーディオとしてＤＴＳ−ＨＤフォーマットでフォーマットされたオーディオが記録されていることが検出された場合（Ｓ４−ＹＥＳ）であって、ＡＶレシーバ（受信機）がＨＢＲオーディオに対応していない場合（Ｓ５−ＮＯ）には、ビデオとしては、メインビデオのみが出力され、オーディオとしては、ＤＴＳ−ＨＤのメインオーディオが、出力される（Ｓ７）。
【００６４】
また、ステップＳ４においてＨＢＲオーディオであるＤＴＳ−ＨＤフォーマットでフォーマットされたオーディオが記録されていることが検出できなかった場合（Ｓ４−ＮＯ）には、ビデオとしては、メインビデオのみが出力され、オーディオとしては、ＤＤ＋またはＴｒｕｅＨＤのメインオーディオが、出力される（Ｓ８）。
【００６５】
また、ステップＳ３において、記録されているオーディオのフォーマットがＬＰＣＭのみであることが検出された場合（Ｓ３−ＹＥＳ）、ステップＳ２において、ＡＶレシーバ（受信機）が、オーディオ再生としてミックスＰＣＭのみに対応していることが検出された場合（Ｓ２−ＮＯ）あるいは、ステップＳ１において、ユーザからオーディオ再生としてミックスＰＣＭが選択された場合には、ホットプラグ検出／判定部２０１により検出されたＥＤＩＤに基づいて接続されている受信機（ＡＶレシーバ）の再生能力に合わせて、メインオーディオ及びサブオーディオがオーディオ系デコーダ２７によりデコードされ、オーディオミキサ１２１によりミックスされて、出力される（Ｓ１）。
【００６６】
なお、上述したＨＢＲオーディオ出力とｃｏｄｅｃすなわち個々のＡＶレシーバ（受信機）における対応フォーマット（再生可能なオーディオフォーマット）との関係は、図７に示す通りである。
【００６７】
また、実際のコンテンツの再生中には、ユーザに、サブオーディオやエフェクトオーディオ並びにサブビデオが再生されないことの注意を促す意味で、再生中または再生開始後一定時間の間、図８に示すように、ＯＳＤ１９による表示出力として、例えば「ＨＢＲオーディオモード」による再生中であることが表示される。なお、「ＨＢＲオーディオ」再生中であることを、ＯＳＤ１９による表示出力として常時表示することは、映像の一部が見えづらくなり、ユーザにとっては煩わしさを感じさせることも考えられるため、例えばＡＶアンプＮとモニタ装置Ｃによりオーディオ及びビデオを再生している場合においては、上述の「ＨＢＲオーディオ」再生中であることを示す表示を、再生機器（ＡＶアンプＮ）のフロントディスプレイやプレーヤ装置１のフロントパネル中の表示部等に表示することも可能である。
【００６８】
なお、ＤＴＳ−ＨＤ（「ＨＢＲオーディオ」）を再生する場合には、メインオーディオに、サブオーディオとエフェクトオーディオが多重化され、ＨＤＭＩ入出力部３０１から対応するＡＶレシーバ（受信機）に出力される。従って、多重化したＨＢＲオーディオが受信できない（サブ／エフェクトオーディオが同時にデコードできない）ＡＶレシーバが接続されている場合には、メインビデオとメインオーディオのみ出力し、サブビデオとサブオーディオ及びエフェクトオーディオは出力しない（ミュートする）ことは、図６において説明した通りであるが、その場合には、例えば、図９に示すように、アラート表示をＯＳＤ１９を介して表示させることが好ましい。また、ＤＤ＋（Ｄｏｌｂｙ  Ｄｉｇｉｔａｌ  Ｐｌｕｓ）やＴｒｕｅＨＤ（Ｄｏｌｂｙ  ＴｒｕｅＨＤ）を再生する場合においても、サブオーディオとエフェクトオーディオ及びサブビデオを同時に出力することが規格上できないので、サブビデオは出力せず、サブオーディオとエフェクトオーディオについてはミュート（出力しない）とする。この場合も、図９のようなアラートをＯＳＤ１９により表示することとする。
【００６９】
なお、図１に示したホットプラグ検出／判定部２０１によるＨＤＭＩ入出力部３０１を介してプレーヤ装置１に接続される任意数の出力装置である受信機（ＡＶレシーバ）すなわちスピーカ内蔵のＴＶ装置Ａ、あるいは図示しないスピーカ等と接続されるＡＶアンプＮもしくはモニタ装置ＢまたはＣの検出は、「ホットプラグ検出」が可能な装置が接続されたこと／既に接続されていることを検出するホットプラグ検出部２１１、ホットプラグ検出部２１１により検出された任意数の装置から取得された個々の出力装置に固有の個別識別情報（ＥＤＩＤ（Ｅｘｔｅｎｄｅｄ  Ｄｉｓｐｌａｙ  Ｉｄｅｎｔｉｆｉｃａｔｉｏｎ  Ｄａｔａ））」をデコードするＥＤＩＤデコード部２１２、ＥＤＩＤデコード部２１２にてデコードされた結果、すなわち取得したＥＤＩＤデータに基づいて検出され、ＨＤＭＩ入出力部３０１に出力すべき音声データのフォーマットおよび映像データの解像度を設定する設定処理部２１３により主制御ブロック１１に報知される。例えばＴＶ受信装置Ａ，モニタ装置Ｂ，モニタ装置Ｃ，・・・，ＡＶアンプＮのそれぞれが検出／判定部２０１（ホットプラグ検出部２１１）により「ホットプラグ検出」されることで、それぞれの機器のＥＤＩＤが取得される。検出されたＥＤＩＤは、ＥＤＩＤデコード部２１２によりデコードされ、設定処理部２１３を経由して、主制御ブロック（ＣＰＵ）１１の図示しない内蔵メモリ部等に記憶される。なお、デコードにより得られる情報としては、個々のシンク機器またはリピータ機器が再生（音声出力）可能な音声フォーマットの種別（Ａｕｄｉｏ情報）や、個々のシンク機器またはリピータ機器が表示（映像出力）可能な解像度（Ｖｉｄｅｏ情報）に加え、製造者識別（Ｍａｎｕｆａｃｔｕｒｅ  ＩＤ）、製品（製造物）識別（Ｐｒｏｄｕｃｔ  ＩＤ）、製造番号（Ｓｅｒｉａｌ  Ｎｕｍｂｅｒ）なども含まれる。
【００７０】
以上説明したように、この発明の実施の形態の１つによれば、ＨＢＲオーディオを再生する際、メインオーディオとサブオーディオ及びエフェクトオーディオを同時に出力できない再生モードにおいては、ユーザに分かりやすいユーザインタフェースを提供できる。
【００７１】
また、ＨＤ  ＤＶＤのアドバンストコンテンツを再生する場合において、メインビデオとメインオーディオに加え、サブビデオとサブオーディオ及びエフェクトオーディオを同時に出力（再生）可能な装置が接続されている場合には、ユーザによりＨＢＲオーディオを再生しないことが指定されない場合に、ＨＢＲオーディオを、ビットストリームとして再生可能な装置に出力可能である。
【００７２】
従って、接続された機器の音声再生能力に合わせて、出力すべき映像仕様とは独立に、ユーザが、音声仕様（音声フォーマット）を設定する必要がなくなり、操作性が向上し、さらにコンテンツに含まれる最良のオーディオ出力が再生される。
【００７３】
さらに、現在再生されている音声モードがＨＢＲオーディオであるか否かを、ユーザに明確に意識づけすることができる。
【００７４】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００７５】
【図１】この発明の実施の形態の一例が適用可能な映像音声再生装置（プレーヤ装置）の一例を示す概略ブロック図。
【図２】図１に示したプレーヤ装置において再生可能なＨＤ  ＤＶＤ規格の光ディスクに収容されるコンテンツの一例を説明する概略図。
【図３】図２に示したＨＤ  ＤＶＤディスクのファイルシステムの構成の一例を説明する概略図。
【図４】図２及び図３により説明したＨＤ  ＤＶＤディスクのファイルシステムの一例を示す概略図。
【図５】図１に示した出力信号処理部の構成の一例を説明する概略図。
【図６】ＨＢＲオーディオを再生可能なレシーバの検出方法及びＨＢＲオーディオの出力の制御の一例を説明するフローチャート。
【図７】図６において識別されるＨＢＲオーディオの出力とレシーバ（受信機）における対応フォーマット（再生可能なオーディオフォーマット）との関係を説明する概略図。
【図８】図６において識別されたＨＢＲオーディオを再生中であることを報知する表示の一例を示す概略図。
【図９】図６において識別されたＨＢＲオーディオが再生できないことを報知する表示の一例を示す概略図。
【符号の説明】
【００７６】
１…ディスク再生装置、３…ディスクドライブユニット、５…ＨＤＤユニット、７…カードスロット、１１…主制御ブロック（ＣＰＵ）、１３…データバス、１５…メインメモリ、１７…ネットワークコントローラ、１９…ＡＡＣＳデコーダ／エンコーダ、２１…Ｉ／Ｏコントローラ、２３…ストリームパーサ、２５…ビデオ系デコーダ、２７…オーディオ系デコータ、２９…ＨＤＭＩ１．３ユニット、１０１…出力信号処理部、１１１…ビデオ系デコーダ、１２１…オーディオ系デコーダ、２０１…検出／判定部、２０１…検出／判定部、３０１…ＨＤＭＩ入出力部（ＨＤＭＩインタフェース）。
【図１】
2008287792.tif 000003
【図２】
2008287792.tif 000004
【図３】
2008287792.tif 000005
【図４】
2008287792.tif 000006
【図５】
2008287792.tif 000007
【図６】
2008287792.tif 000008
【図７】
2008287792.tif 000009
【図８】
2008287792.tif 000010
【図９】
2008287792.tif 000011